(57)【要約】【課題】ＨＥＣ機能を接続された複数の電子機器に対しても使用することが可能な電子機器を提供する。【解決手段】ＨＤＭＩケーブルを通じて他の機器と接続可能な電子機器において、所定のネットワークと接続可能な第１の接続手段と、ＨＤＭＩケーブルと接続する複数のポートを備える端子と、前記端子の各ポートの切り替えを行う切り替え手段と、前記切り替え手段に前記各ポートの切り替えを実行させる制御手段と、前記第１の接続手段を通じて接続されたネットワークと、前記選択されたポートを通じて接続された他の電子機器との間の接続を確立する第２の接続手段と、を有する。【選択図】図１
2012222750.tif 000002
【特許請求の範囲】
【請求項１】
ＨＤＭＩケーブルを通じて他の機器と接続可能な電子機器において、
所定のネットワークと接続可能な第１の接続手段と、
ＨＤＭＩケーブルと接続する複数のポートを備える端子と、
前記端子の各ポートの切り替えを行う切り替え手段と、
前記切り替え手段に前記各ポートの切り替えを実行させる制御手段と、
前記第１の接続手段を通じて接続されたネットワークと、前記選択されたポートを通じて接続された他の電子機器との間の接続を確立する第２の接続手段と、を有することを特徴とする電子機器。
【請求項２】
前記制御手段は、前記ＨＤＭＩケーブルを通じて接続された他の電子機器から環境情報を受信し、前記環境情報を前記ポートの選択画面として表示させることを特徴とする請求項１に記載の電子機器。
【請求項３】
前記選択画面では、ネットワークとの接続環境を備えない他の電子機器と接続されたポートに係る情報を非表示とすることを特徴とする請求項２に記載の電子機器。
【請求項４】
前記環境情報は、ＥＤＩＤ情報から取得されることを特徴とする請求項２又は請求項３のいずれかに記載の電子機器。
【発明の詳細な説明】
【技術分野】
【０００１】
本発明は、ＨＤＭＩのＨＥＣ機能を備える電子機器に関する。
【背景技術】
【０００２】
従来、複数の機器間を接続するインターフェースとしてＨＤＭＩ（High-Definition Multimedia Interface）が知られている（ＨＤＭＩは登録商標）。ＨＤＭＩでは、ソース機器とシンク機器とはＨＤＭＩケーブルを介して接続され、ソース機器から非圧縮形式の映像データ又は音声データをシンク機器に対して送信する。なお、映像又は音声データ等を送信する機器をソース機器といい、映像又は音声データを受信する機器をシンク機器と記載する（例えば、特許文献１−３参照）。
【０００３】
また、ＨＤＭＩ１．４規格において、ＨＤＭＩケーブルを介して他の機器とＬＡＮネットワークを構成することを可能とするＨＥＣ（HDMI Ethernet Channel）機能が追加されている。このＨＥＣ機能では、第１の電子機器をネットワークに接続し、第２の電子機器をＨＤＭＩケーブルを通じて前記第１の電子機器と接続することで、この第２の電子機器に対しても、ＨＤＭＩケーブルを通じてネットワーク環境を共有させることが可能となる。
【先行技術文献】
【特許文献】
【０００４】
【特許文献１】特開２００９−１４７７１５号公報
【特許文献２】特開２０１０−０６３１０６号公報
【特許文献３】特開２００６−３３２８３５号公報
【発明の概要】
【発明が解決しようとする課題】
【０００５】
従来のＨＥＣ機能では、ネットワークに接続された電子機器は、１つの電子機器としかＨＤＭＩケーブルを通じて接続することができなかった。そのため、複数の電子機器と接続させることができず、柔軟な使用環境を構築することができなかった。
【０００６】
本発明は、上記課題にかんがみてなされたもので、ＨＥＣ機能を接続された複数の電子機器に対しても使用することが可能な電子機器の提供を目的とする。
【課題を解決するための手段】
【０００７】
上記課題を解決するために、本発明では、ＨＤＭＩケーブルを通じて他の機器と接続可能な電子機器において、所定のネットワークと接続可能な第１の接続手段と、ＨＤＭＩケーブルと接続する複数のポートを備える端子と、前記端子の各ポートの切り替えを行う切り替え手段と、前記切り替え手段に前記各ポートの切り替えを実行させる制御手段と、前記第１の接続手段を通じて接続されたネットワークと、前記選択されたポートを通じて接続された他の電子機器との間の接続を確立する第２の接続手段と、を有する構成としてある。
【０００８】
上記のように構成された発明は、切り替え手段は、制御手段の制御のもと、端子の各ポートの切り替えを行い、第２の接続手段は、第１の接続手段を通じて接続されたネットワークと、選択されたポートを通じて接続された他の電子機器との間の接続を確立する。
【発明の効果】
【０００９】
以上説明したように本発明では、ＨＥＣ機能を接続された複数の電子機器に対しても使用することが可能となる。
【図面の簡単な説明】
【００１０】
【図１】図１は、ＡＶ（Audio Visual）システム１００の構成を説明するためのブロック構成図である。
【図２】ＨＤＭＩスイッチＩＣ１３の構成を説明するブロック構成図である。
【図３】表示装置１０と、他の電子機器との間で行なわれるＬＡＮの確立を説明するフローチャートである。
【図４】一例としての選択画面を示す図である。
【図５】第２の実施形態に係る選択画面を示す図である。
【発明を実施するための形態】
【００１１】
以下、下記の順序に従って本発明の実施形態を説明する。
１．第１の実施形態：
２．第２の実施形態：
３．その他の実施形態：
【００１２】
１．第１の実施形態：
以下、図を参照して、この発明に係るシンク機器を具体化した第１の実施の形態について説明する。図１は、ＡＶ（Audio Visual）システム１００の構成を説明するためのブロック構成図である。
【００１３】
ＡＶシステム１００は、表示装置１０と、ＢＤプレイヤー２０と、アンプユニット３０ＳＴＢ４０とを備えて構成されている。ここで、表示装置１０、ＢＤプレイヤー２０、アンプユニット３０、及びＳＴＢ４０は、ＨＤＭＩ（High-Definition Multimedia Interface）対応機器であり、各機器はＨＤＭＩケーブル９９を介してそれぞれ接続されている。
【００１４】
また、表示装置１０、ＢＤプレイヤー２０、ＳＴＢ４０はＨＤＭＩ１．４のＨＥＣ機能に対応することで、表示装置１０を通じてネットワークに接続することができる。即ち、表示装置１０がネットワークに接続していれば、ＢＤプレイヤー２０及びＳＴＢ４０は、個別にネットワークに接続することなく、ＨＤＭＩケーブル９９を通じてネットワークにアクセスすることができる。
【００１５】
表示装置１０は、マイクロコンピューター（制御手段）１１と、ＬＡＮ物理層ＩＣ（第１の接続手段）１２と、ＨＤＭＩスイッチＩＣ（第２の接続手段）１３と、ハブ（切り替え手段）１４と、ＨＤＭＩ端子（端子）１５と、表示パネル１６を備えて構成されている。
【００１６】
マイクロコンピューター１１は、図示しないＣＰＵや、ＲＯＭ、更にはＲＡＭを備えて構成され、ＣＰＵがＲＯＭに記録されたプログラムを実行することで、表示装置１０における統合的な処理を実行する。具体的には、マイクロコンピューター１１は、ＲＯＭに記録されたプログラムを実行することで、表示パネル１６にＯＳＤ映像を表示させるための機能や、ハブ１４の切り替えを行う機能を実行する。
【００１７】
ＬＡＮ物理層ＩＣ１２は、表示装置１０がネットワークと接続するための物理的な接続及び伝送方式を設定する。そのため、表示装置１０はこのＬＡＮ物理層ＩＣ１２を通じてネットワークに接続される。
【００１８】
ハブ１４は、入力側でＨＤＭＩスイッチＩＣ１３と接続され、出力側でＨＤＭＩ端子１５のポート１〜３の１４ピンと接続されている。また、ハブ１４は、マイクロコンピューター１１からの制御を受け、ＨＤＭＩスイッチＩＣ１３とＨＤＭＩ端子１５のポートとの接続を切替える。
【００１９】
ＨＤＭＩスイッチＩＣ１３は、入力側でＬＡＮ物理層ＩＣ１２と接続し、出力側でハブ１４を介してＨＤＭＩ端子１５と接続している。以下、本実施形態では、表示装置１０をシンク機器として説明する。図２は、ＨＤＭＩスイッチＩＣ１３の構成を説明するブロック構成図である。ＨＤＭＩスイッチＩＣ１３は、映像、音声、同期の各データを受信するＨＤＭＩＲｘ１３ａと、ＣＥＣ（Consumer Electronics Control）に応じた制御コマンドを送受信するＣＥＣ制御部１３ｂと、リザーブラインを構成するリザーブチャンネル１３ｃとを備えて構成されている。
【００２０】
一方、ＨＤＭＩ送信部は、ＨＤＭＩ端子１５を通じて接続されたソース側の電子機器がそれぞれ備え、映像、音声、同期の各データを送信するＨＤＭＩＴｘと、ＣＥＣに応じた制御コマンドを送受信するＣＥＣ制御部と、リザーブラインを構成するリザーブチャンネルを備えて構成されている。
【００２１】
上記構成により、ＨＤＭＩ送信部に入力した映像、音声、同期の各データは、ＨＤＭＩＴｘを経由してＨＤＭＩケーブル９９の各チャンネルからＨＤＭＩスイッチＩＣ１３のＨＤＭＩＲｘ１３ａに送信される。また、ＣＥＣ制御部間では、ＣＥＣに応じた制御コマンドがＨＤＭＩケーブル９９を通じて互いに送受信される。さらに、リザーブチャンネルは、ＨＤＭＩ端子１５のポート１〜３における１４ピンに接続されており、ＨＥＣに準じた通信を行うことができる。
【００２２】
図３は、表示装置１０と、他の電子機器との間で行なわれるＬＡＮの確立を説明するフローチャートである。以下、図３では、表示装置１０と、ＢＤプレイヤー７０との間の接続を例に説明を行う。なお、表示装置１０は、すでにネットワークとの接続が確立されているものとする。
【００２３】
図示しないリモコン装置を通じてＬＡＮの構築を行う旨の操作入力が行われると、ステップＳ１では、マイクロコンピューター１１は、表示パネル１６に選択画面を表示させる。
図４は、一例としての選択画面を示す図である。この選択画面では、現在ＨＤＭＩ端子１５を通じて接続された各電子機器（ＢＤプレイヤー２０、アンプユニット３０、ＳＴＢ４０）の名称、ポート番号、ＨＥＣ機能への対応の有無、そしてアドレスが表示される。即ち、ポート１の欄には、ＢＤプレイヤー２０に関する環境情報が表示され、ポート２の欄には、アンプユニット３０に関する環境情報が表示され、ポート３の欄には、ＳＴＢ４０に関する環境情報が表示される。これら各情報は、各電子機器が備えるＥＤＩＤデータをもとにマイクロコンピューター１１が取得を行う。
【００２４】
図４に示すように、ＨＥＣ機能を備えないアンプユニット３０は、選択画面上でＨＥＣ機能の対応が「ＯＦＦ」と表示され、ＨＥＣ機能を備えるＢＤプレイヤー２０、ＳＴＢ４０は、ＨＥＣ機能の対応が「ＯＮ」となる。同様に、ＨＥＣ機能を備えないアンプユニット３０のみ、選択画面上でアドレス表示が行われない。上記構成とすることで、利用者が今から接続を行う電子機器がＨＥＣに対応しているか否かを判断することが可能となる。
【００２５】
図４に示す選択画面が表示された状態で、ＬＡＮを確立させる電子機器の選択が行われると（ステップＳ２：ＹＥＳ）、ステップＳ３では、マイクロコンピューター１１は、ハブ１４を媒体アクセス制御して、選択されたポートをＨＤＭＩスイッチＩＣ１５に接続させる。以下、選択画面上でポート１（ＢＤプレイヤー２０）が選択された場合を想定して説明を行う。そのため、表示装置１０の端子１とＢＤプレイヤー２０の端子との間でリザーブチャンネルの接続が確立される。
【００２６】
この状態で、ネットワークに接続された図示しないサーバーから画像データが送信されると、この画像データがＬＡＮ物理想ＩＣ１２を通じてＨＤＭＩスイッチＩＣ１３に入力される。そして、受信された画像データは、ＨＤＭＩ端子１からＢＤプレイヤー７０に出力される（ステップＳ４）。
【００２７】
以上、説明したように、第１の実施形態に係る電子機器では、ＨＥＣ機能を接続された複数の電子機器に対しても使用することが可能となり、利便性を高めることができる。
【００２８】
２．第２の実施形態：
図５は、第２の実施形態に係る選択画面を示す図である。図５に示す選択画面は、第１の実施形態同様、図３のステップＳ１において表示される。図５に示す選択画面では、表示装置１０は、ＢＤプレイヤー２０、アンプユニット３０、及びＳＴＢ４０とそれぞれＨＤＭＩケーブル９９を通じて接続されるが、ＨＥＣ機能に対応していないアンプユニット３０は初めから表示が行われない。即ち、マイクロコンピューター１１は、各電子機器から取得したＥＤＩＤデータをもとに、ＨＥＣ機能に対応するか否かを判断し、ＨＥＣ機能に対応しない電子機器に対しては、選択画面上で非表示とする。
【００２９】
上記構成とすることで、第１の実施形態に係る電子機器の効果に加えて、ＨＥＣ機能に対応しない電子機器は利用者が選択することができなくなるため、機能に不慣れな利用者であっても適切に選択を行うことが可能となる。
【００３０】
３．その他の実施形態：
本発明は、様々な実施形態が存在する。
電子機器として、表示装置を用いて説明することは一例であり、ＨＤＭＩ端子を備える機器であればどの様な機器であってもよい。
【００３１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３２】
１０…表示装置、１１…マイクロコンピューター、１２…ＬＡＮ物理層ＩＣ、１４…ハブ、１５…ＨＤＭＩ端子、１６…表示パネル、２０…ＢＤプレイヤー、３０…アンプユニット、４０…ＳＴＢ、１００…ＡＶシステム
【図１】
2012222750.tif 000003
【図２】
2012222750.tif 000004
【図３】
2012222750.tif 000005
【図４】
2012222750.tif 000006
【図５】
2012222750.tif 000007